(57)【要約】 【課題】本考案は、植木鉢やプランター等を載置するための植木鉢用台座に関する考案である。【解決手段】本考案は、上面に孔２ｅを穿設した上正面枠２ａ、上背面枠２ｂ及び上左右枠２ｃ、２ｄを正方形状に組み立てた枠体と下面に複数の突起２ｇを垂直方向に取り付けた板２ｆからなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなることを特徴とする植木鉢用台座１の構成とした。【選択図】  図１
0003140218.tif 000002
【実用新案登録請求の範囲】
【請求項１】
上面に孔を穿設した上正面枠、上背面枠及び上左右枠を正方形状に組み立てた枠体及び下面に複数の突起を垂直方向に取り付けた板からなる上枠体と、上面に孔を穿設した下正面枠、下背面枠及び下左右枠を正方形状に組み立てた下枠体と、前記上下枠体の四隅同士を連結する４本の支柱と、上部に摘みを備え表面にネジ山を形成し前記下枠体の孔に螺合される連結調節ネジと、片面に溝を形成し前記上正面枠及び上右枠の下面並びに前記下正面枠及び下右枠の上面に留め具により取り付けられる平板状の連結片とからなることを特徴とする植木鉢用台座。
【請求項２】
板の無い植木鉢用台座と植木鉢用台座を複数連結したことを特徴とする請求項１に記載の植木鉢用台座。
【請求項３】
上正面長枠、上背面長枠及び長板からなる長方形状の上枠体と、下正面長枠及び下背面長枠からなる長方形状の下枠体とからなることを特徴とする請求項１に記載の植木鉢用台座。
【請求項４】
前記上下枠体の四隅同士を連結する４本の長支柱とからなることを特徴とする請求項１に記載の植木鉢用台座。
【請求項５】
上面に孔を穿設した上第一枠、上第二枠及び上第三枠を三角形状に組み立てた枠体及び下面に複数の突起を垂直方向に取り付けた三角板からなる上三角枠体と、上面に孔を穿設した下第一枠、下第二枠及び下第三枠を三角形状に組み立てた下三角枠体と、前記上下三角枠体の角同士を連結する３本の支柱と、上部に摘みを備え表面にネジ山を形成し前記下三角枠体の孔に螺合される連結調節ネジと、片面に溝を形成し前記上第二枠及び上第三枠の下面並びに前記下第二枠及び下第三枠の上面に留め具により取り付けられる平板状の連結片とからなることを特徴とする植木鉢用台座。
【請求項６】
上面に複数の孔を穿設した上円枠と下面に複数の突起を垂直方向に取り付けた円板からなる上枠体と、上面に複数の孔を穿設した下円枠からなる下枠体と、前記上下枠体を連結する複数本の支柱と、上部に摘みを備え表面にネジ山を形成し前記下枠体の孔に螺合される連結調節ネジと、片面に溝を形成し前記上円枠の下面及び下円枠の上面に留め具により取り付けられる平板状の連結片とからなることを特徴とする植木鉢用台座。
【請求項７】
上面に孔を穿設した上正面枠、上背面枠及び上左右枠を正方形状に組み立てた枠体と前記枠体内に設置され枠体の上面より上部に突出した連結台座からなる上枠体と、上面に孔を穿設した下正面枠、下背面枠及び下左右枠を正方形状に組み立てた下枠体と、前記上下枠体の四隅同士を連結する４本の支柱と、上部に摘みを備え表面にネジ山を形成し前記下枠体の孔に螺合される連結調節ネジと、片面に溝を形成し前記上正面枠及び上右枠の下面並びに前記下正面枠及び下右枠の上面に留め具により取り付けられる平板状の連結片とからなることを特徴とする植木鉢用台座。
【請求項８】
植木鉢用台座を複数連結したことを特徴とする請求項７に記載の植木鉢用台座。
【請求項９】
回動可能に連結片を取り付けたことを特徴とする請求項１乃至請求項８に記載の植木鉢用台座。
【考案の詳細な説明】
【技術分野】
【０００１】
本考案は、植木鉢やプランター等を載置するための植木鉢用台座に関する考案である。
【背景技術】
【０００２】
従来、植物を栽培している植木鉢やプランターは、平面的に並べたり、立体的に載置する場合には雛壇型の専用台座を使用したり、ブロック等で床あげ等をしていた。
【０００３】
しかしながら、雛壇型の専用台座では載置することが出来る植木鉢やプランターのサイズが決められており、同じ大きさの植木鉢同士又はプランター同士でなければ綺麗な立体的配置をすることができなかった。
【０００４】
また、ブロック等で後部の植木鉢やプランターを床あげする場合、異なる植木鉢やプランターを自由に立体配置をすることはできるが、重く欠片のゴミが出やすいブロックを複数用意しなければならず、特に屋外でのみ利用できるものであった。
【特許文献１】特開平９−２６２０２８号公報
【考案の開示】
【考案が解決しようとする課題】
【０００５】
そこで、本考案は、縦横方向に連結可能であり、使用する植木鉢やプランターのサイズを選ばずに使用でき、軽くて丈夫であり、且つ屋内外を問わず使用できる植木鉢用台座を提供することを目的とするものである。
【課題を解決するための手段】
【０００６】
本考案は、上記の課題を解決するために、上面に孔２ｅを穿設した上正面枠２ａ、上背面枠２ｂ及び上左右枠２ｃ、２ｄを正方形状に組み立てた枠体と下面に複数の突起２ｇを垂直方向に取り付けた板２ｆからなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなることを特徴とする植木鉢用台座１の構成とした。
【考案の効果】
【０００７】
本考案の植木鉢用台座は、連結調節ネジ及び連結片を備えているため、台座同士を縦横方向に複数連結して設置場所に合わせた台座を組み立てることが出来る。
【０００８】
また、連結調節ネジは植木鉢用台座全体の水平調節ができるため、傾斜や段差のある場所であっても植木鉢等を載置することができる。
【０００９】
更に、本考案の植木鉢用台座を複数連結して大きな植木鉢用台座とした場合であっても、様々な大きさの植木鉢やプランターを載置することができる。
【考案を実施するための最良の形態】
【００１０】
様々な大きさの植木鉢やプランターを種類を問わずに立体的に配置できるという目的を連結片と連結調節ネジを取り付けて縦横方向に連結できる台座とすることによって実現した。
【実施例１】
【００１１】
図１から図２までは、本考案の第１実施例を示す。図１は本考案である植木鉢用台座の斜視図、図２は植木鉢用台座のＡ−Ａ線断面図である。
【００１２】
図１に示すように、本考案である植木鉢用台座１は、上面に孔２ｅを穿設した上正面枠２ａ、上背面枠２ｂ及び上左右枠２ｃ、２ｄを正方形状に組み立てた枠体と下面に複数の突起２ｇを垂直方向に取り付けた板２ｆからなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなる。
【００１３】
図１に示すように、前記上枠体２を構成する上正面枠２ａ、下背面枠２ｂ及び上左右枠２ｃ、２ｄは上面に孔２ｅを穿設している。前記孔２ｅの穿設位置及び穿設数は任意であるが、全ての枠２ａ、２ｂ、２ｃ、２ｄにおいて同じ位置に同じ数だけ穿設されていることが望ましい。例えば、上正面枠２ａの中央より右よりの位置に１つの孔２ｅが穿設されている場合は、上背面枠２ｂ、上左右枠２ｃ、２ｄについても中央より右よりの位置に１つの孔２ｅが穿設される。尚、前記孔２ｅの内壁面にはネジ山が形成されている。
【００１４】
前記板２ｆは前記上正面枠２ａ、上背面枠２ｂ及び上左右枠２ｃ、２ｄにより形成された枠体の内壁面に沿うように下面に複数の突起２ｇを形成しており、板２ｆを前記枠体に被せた際に各突起２ｇが上正面枠２ａ、上背面枠２ｂ及び上左右枠２ｃ、２ｄの内壁面に接している。
【００１５】
前記下枠体３を構成する下正面枠３ａ、下背面枠３ｂ及び下左右枠３ｃ、３ｄは上面に孔３ｅを穿設している。前記孔３ｅの穿設位置及び穿設数は任意であるが、前記上枠体２における孔２ｅと同じ位置でなければならない。また、図２に示すように、孔３ｅの径は孔２ｅの径と同じであり、孔３ｅについては内壁面にネジ山が形成されている。
【００１６】
前記連結調節ネジ５は、下枠体３の各辺に穿設された孔３ｅに螺合されており、上部に摘み５ａを備えている。摘み５ａについては、図１に示すような形状の他、取扱いのし易いハンドル形状としても良く、特に限定したものではない。
【００１７】
図１に示すように、前記連結片６は上正面枠２ａ及び上右枠２ｄ並びに下正面枠３ａ及び下右枠３ｄのように隣り合う２つの辺に取り付けられており、上枠体２において正面枠２ａ及び右枠２ｄに取り付けた場合は、下枠体３においても正面枠３ａ及び右枠３ｄに取り付けられ、常に同じ辺の同じ位置に取り付けられている。
【００１８】
また、前記連結片６は上枠体２即ち、上正面枠２ａ及び上右枠２ｄに取り付ける場合は、溝６ａを上面にした状態で取り付けられており、下枠体３即ち下正面枠３ａ及び下右枠３ｄに取り付ける場合は、溝６ａを下面にした状態で取り付けられている。但し、１つの辺に取り付ける連結片６の位置及び数は限定しておらず、前述のように上下枠２、３において取り付ける辺が同じであること及び同じ位置に同じ数取り付けられていれば良い。
【実施例２】
【００１９】
図３は本考案である植木鉢用台座の第２実施例で複数組み立てた状態を示した斜視図、図４は植木鉢用台座の第２実施例の各断面を示した図、図５は植木鉢用台座の第２実施例で複数組み立てて使用した状態を示した斜視図である。
【００２０】
図３及び図４に示すように、実施例２に示す植木鉢用台座は、前記植木鉢用台座１と板２ｆの無い植木鉢用台座１を複数連結したものである。即ち、本考案である植木鉢用台座１を複数連結する場合、連結片６を利用して横方向に別の植木鉢用台座１を連結し、連結調節ネジ５を利用して縦方向に別の本考案１を連結する。このとき、別の植木鉢用台座１の下側に連結される植木鉢用台座１には板２ｆが無い。尚、連結状態については図４を使用して説明することとする。また、図３では上に重ねた本考案１は右側面を正面側にして重ねた図である。
【００２１】
図４のＢ−Ｂ線断面図に示すように、本考案同士を横方向に連結するには、上右枠２ｄに取り付けられた連結片６を別の本考案１の上左枠２ｃに連結し、下右枠３ｄに取り付けられた連結片６を別の本考案１の下左枠３ｃに連結する。このとき、連結片６の溝６ａに上左枠２ｃ及び下左枠３ｃがはまった状態となり、一定の力を加えることで連結及び分離が可能である。
【００２２】
図４のＣ−Ｃ線断面図に示すように、本考案同士を縦方向に連結するには、下側にくる植木鉢用台座１の板２ｆを外して別の植木鉢用台座１を縦に重ね、上側にくる本考案１の下枠体３と下側にくる本考案１の上枠体２の各辺同士を上側の本考案１の連結調節ネジ５で螺合することによりしっかりと連結することが出来る。
【００２３】
図５に示すように、本考案を４つ使用して縦横方向に連結することで階段状の植木鉢用台座を作ることができる。このように、本考案の連結片６や連結調節ネジ５を使用し、各本考案１の向きを変えたりすることにより、様々な台座を形成することができ、植木鉢とプランターを置くことのできる台座などを作ることができる。尚、符号１１は植物を示している。
【００２４】
また、一番下で使用する本考案１の任意の連結調節ネジ５を下枠体３の下部から突出させることにより、段差がある場所や傾斜等の不安定な場所であっても、板２ｆを水平に保つことができるため様々な場所で利用することができる。
【実施例３】
【００２５】
図６は本考案である植木鉢用台座の第３実施例を示した斜視図である。
【００２６】
図６に示すように本考案である植木鉢用台座１ａは、上面に孔２ｅを穿設した上正面長枠２ｈ、上背面長枠２ｉ及び上左右枠２ｃ、２ｄを長方形状に組み立てた枠体と下面に複数の突起２ｇを垂直方向に取り付けた長板２ｊからなる上枠体２と、上面に孔３ｅを穿設した下正面長枠３ｆ、下背面長枠３ｇ及び下左右枠３ｃ、３ｄを長方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなる。即ち、前記実施例１で示した植木鉢用台座１が横長となった形状である。
【００２７】
植木鉢用台座１ａでは、上枠体２を形成する上正面長枠２ｈ及び上背面長枠２ｉ並びに下正面長枠３ｆ及び下背面長枠３ｇは、上下左右枠２ｃ、２ｄ、３ｃ、３ｄよりも長く、上下正面長枠２ｈ、３ｆには２つの連結片６、６を取り付けた。但し、前記連結片６の取り付け位置及び取付数については、特に限定したものではなく、実施例１と同様に各辺に１つの連結片６としても、２つ以上を取り付けても良い。
【００２８】
また、上下正面長枠２ｈ、３ｆ及び上下背面長枠２ｉ、３ｇに穿設される孔２ｅ、３ｅについても穿設位置や穿設数が合致していれば２つ以上設けても構わない。但し、孔３ｅには必ず連結調節ネジ５が螺合されており、孔３ｅが増えれば、その分連結調節ネジ５の数も増える。
【実施例４】
【００２９】
図７は本考案である植木鉢用台座の第４実施例を示した斜視図である。
【００３０】
図７に示すように本考案である植木鉢用台座１ｂは、上面に孔２ｅを穿設した上正面枠２ａ、上背面枠２ｂ及び上左右枠２ｃ、２ｄを正方形状に組み立てた枠体と下面に複数の突起２ｇを垂直方向に取り付けた板２ｆからなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の長支柱４ａ、４ａ、４ａ、４ａと、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなる。
【００３１】
即ち、前記実施例１又は実施例２で示した植木鉢用台座１、１ａの上下枠体２、３を連結する支柱が長くなり、縦長の形状となった。
【実施例５】
【００３２】
図８は本考案である植木鉢用台座の第５実施例を示した斜視図である。
【００３３】
図８に示すように本考案である植木鉢用台座１ｃは、上面に孔７ｄを穿設した上第一枠７ａ、上第二枠７ｂ及び上第三枠７ｃを三角形状に組み立てた枠体と下面に複数の突起７ｆを垂直方向に取り付けた三角板７ｅからなる上三角枠体７と、上面に孔８ｄを穿設した下第一枠８ａ、下第二枠８ｂ及び下第三枠８ｃを三角形状に組み立てた下三角枠体８と、前記上下三角枠体７、８の角同士を連結する３本の支柱４、４、４と、上部に摘み５ａを備え表面にネジ山５ｂを形成し前記下三角枠体８の孔に螺合される連結調節ネジ５、５、５と、片面に溝６ａを形成し前記上第二枠７ｂ及び上第三枠７ｃの下面並びに前記下第二枠８ｂ及び下第三枠８ｃの上面に留め具６ｂにより取り付けられる平板状の連結片６とからなる。
【００３４】
即ち、上下枠体が三角形状となった三角柱の植木鉢用台座１ｃである。
【００３５】
本考案である植木鉢用台座１ｃを６つ連結することで六角形の植木鉢用台座を形成することや、互い違いに連結することで直線を形成することなどができる。
【００３６】
尚、図８では１つの角を６０°とする正三角形状の三角柱としたが、特に正三角形に限定したものではなく、二等辺三角形や直角三角形等の三角柱としてもよい。また、前述の通り、孔７ｄ、８ｄの穿設位置や穿設数、連結調節ネジ５の数及び連結片６の取付位置や取付数については各辺の長さ等に合った設置位置及び数とすればよく、特に限定はしていない。
【実施例６】
【００３７】
図９は本考案である植木鉢用台座の第６実施例を示した斜視図である。
【００３８】
図９に示すように本考案である植木鉢用台座１ｄは、上面に複数の孔９ｂを穿設した上円枠９ａと下面に複数の突起９ｄを垂直方向に取り付けた円板９ｃからなる上枠体９と、上面に複数の孔１０ｂを穿設した下円枠１０ａからなる下枠体１０と、前記上下枠体９、１０を連結する複数本の支柱４と、上部に摘み５ａを備え表面にネジ山５ｂを形成し前記下枠体１０の孔１０ｂに螺合される連結調節ネジ５と、片面に溝６ａを形成し前記上円枠９ａの下面及び下円枠１０ａの上面に留め具６ｂにより取り付けられる平板状の連結片６とからなる。
【００３９】
即ち、上下枠体９、１０が円形となった円柱状の植木鉢用台座１ｄである。
【００４０】
前記上枠体９に穿設される孔９ｂと下枠体１０に穿設される孔１０ｂについては、穿設位置及び穿設数について特に限定はしていない。但し、上下枠体９、１０の孔９ｂ、１０ｂの数は一致しており、また、穿設位置も一致している。尚、孔９ｂ、１０ｂは等間隔に穿設されていることが最も望ましい。
【００４１】
また、前記上下枠体９、１０に取り付けられる連結片６についても、取付数や取付け位置は特に限定はしていない。但し、上下枠体９、１０の連結片６の数は一致しており、また、穿設位置も一致している。尚、上下枠体９、１０に取り付ける連結片６は２つとし、直角の位置にとりつけることでほとんどの連結方法に対応することができると考えられる。
【００４２】
以上の構成である本考案の植木鉢用台座１ｄを複数連結することにより、滑らかな曲線状の台座や円形の台座を作ることができる。
【実施例７】
【００４３】
図１０は本考案である植木鉢用台座の第７実施例を示した図、図１１は植木鉢用台座の第６実施例のＤ−Ｄ線断面図である。
【００４４】
図１０に示すように、本考案である植木鉢用台座１ｅは、上面に孔２ｅを穿設した上正面枠２ａ、上背面枠２ｂ及び上左右枠２ｃ、２ｄを正方形状に組み立てた枠体と前記枠体内に設置され枠体の上面より上部に突出した連結台座１２からなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｂにより取り付けられる平板状の連結片６とからなる。
【００４５】
即ち、本考案同士を縦方向に連結する際の安定力を高めるために上枠体２に連結材座１２を上部に突出するように設けたものである。
【００４６】
図１１に示すように、本考案である植木鉢用台座１ｅの上枠体２を構成する前記連結台座１２は内部が空間１２ａとなっている。
【実施例８】
【００４７】
図１２は植木鉢用台座の第８実施例で複数組み立てた状態を示した斜視図、図１３は植木鉢用台座の第８実施例の各断面を示した図、図１４は植木鉢用台座の第８実施例で複数組み立てて使用した状態を示した斜視図である。
【００４８】
図１２から図１４に示すように、実施例８に示す植木鉢用台座は、前記植木鉢用台座１ｅを複数連結したものである。即ち、本考案である植木鉢用台座１を複数連結する場合、連結片６を利用して横方向に別の植木鉢用台座１を連結し、連結調節ネジ５と連結台座１２を利用して縦方向に別の本考案１ｅを連結する。尚、連結状態については図１３を使用して説明することとする。
【００４９】
図１３に示すように、本考案１ｅ同士を縦方向に連結するには、下側にくる本考案１ｅの連結台座１２を上側にくる本考案１ｅの下枠体３内に嵌入させることで、容易に連結することができる。また、このとき、連結調節ネジ５により上側にくる本考案１ｅの下枠体３の各辺と下側にくる本考案１ｅの上枠体２の各辺を連結することで、本考案１ｅ同士をしっかりと連結することができる。尚、横方向の連結については、実施例２の連結方法と同じである。
【実施例９】
【００５０】
図１５は、本考案である植木鉢用台座の第９実施例の斜視図である。
【００５１】
本考案である植木鉢用台座１ｆは、上面に孔２ｅを穿設した上正面枠２ａ、上背面枠２ｂ及び上左右枠２ｃ、２ｄを正方形状に組み立てた枠体と下面に複数の突起２ｇを垂直方向に取り付けた板２ｆからなる上枠体２と、上面に孔３ｅを穿設した下正面枠３ａ、下背面枠３ｂ及び下左右枠３ｃ、３ｄを正方形状に組み立てた下枠体３と、前記上下枠体２、３の四隅同士を連結する４本の支柱４、４、４、４と、上部に摘み５ａを備え表面にネジ山５ｂを形成し前記下枠体３の孔に螺合される連結調節ネジ５、５、５、５と、片面に溝６ａを形成し前記上正面枠２ａ及び上右枠２ｄの下面並びに前記下正面枠３ａ及び下右枠３ｄの上面に留め具６ｃにより回動可能に取り付けられる平板状の連結片６とからなる。
【００５２】
図１５に示すように、本考案である植木鉢用台座１ｆでは、上下枠体２、３に取り付けられる連結片６を留め具６ｃにより回動可能連結しており、前記連結具６を使用しな場合には、隠すことができる。
【００５３】
前記連結具６は、左右の方向に３６０°回転可能であり、図１５に示したように右回転又は左回転に限定したものではない。
【００５４】
前記実施例１から実施例９で示した上下枠体２、３、９、１０を構成する各枠、支柱４、長支柱４ａ及び上下三角枠７、８を構成する各枠は丸棒としたが、角棒であってもよく形状を限定するものではない。また、これらの部材の材質については木製であってもプラスチック製であってもよく材質を限定するものではない。更に、前記連結調節ネジ５についても木製やプラスチック製、金属製など素材は限定していない。
【図面の簡単な説明】
【００５５】
【図１】本考案である植木鉢用台座の第１実施例の斜視図である。
【図２】本考案である植木鉢用台座の第１実施例のＡ−Ａ線断面図である。
【図３】本考案である植木鉢用台座の第２実施例で複数連結した状態を示した斜視図である。
【図４】本考案である植木鉢用台座の第２実施例の各断面を示した図である。
【図５】本考案である植木鉢用台座の第２実施例で複数組み立てて使用した状態を示した斜視図である。
【図６】本考案である植木鉢用台座の第３実施例の斜視図である。
【図７】本考案である植木鉢用台座の第４実施例の斜視図である。
【図８】本考案である植木鉢用台座の第５実施例の斜視図である。
【図９】本考案である植木鉢用台座の第６実施例の斜視図である。
【図１０】本考案である植木鉢用台座の第７実施例を示した図である。
【図１１】本考案である植木鉢用台座の第７実施例のＤ−Ｄ線断面図である。
【図１２】本考案である植木鉢用台座の第８実施例で複数組み立てた状態を示した斜視図である。
【図１３】本考案である植木鉢用台座の第８実施例の各断面を示した図である。
【図１４】本考案である植木鉢用台座の第８実施例で複数組み立てて使用した状態を示した斜視図である。
【図１５】本考案である植木鉢用台座の第９実施例を示した斜視図である。
【符号の説明】
【００５６】
１      植木鉢用台座
１ａ    植木鉢用台座
１ｂ    植木鉢用台座
１ｃ    植木鉢用台座
１ｄ    植木鉢用台座
１ｅ    植木鉢用台座
１ｆ    植木鉢用台座
２      上枠体
２ａ    上正面枠
２ｂ    上背面枠
２ｃ    上左枠
２ｄ    上右枠
２ｅ    孔
２ｆ    板
２ｇ    突起
２ｈ    上正面長枠
２ｉ    上背面長枠
２ｊ    長板
３      下枠体
３ａ    下正面枠
３ｂ    下背面枠
３ｃ    下左枠
３ｄ    下右枠
３ｅ    孔
３ｆ    下正面長枠
３ｇ    下背面長枠
４      支柱
４ａ    長支柱
５      連結調節ネジ
５ａ    摘み
５ｂ    ネジ山
６      連結片
６ａ    溝
６ｂ    留め具
６ｃ    留め具
７      上三角枠体
７ａ    上第一枠
７ｂ    上第二枠
７ｃ    上第三枠
７ｄ    孔
７ｅ    三角板
７ｆ    突起
８      下三角枠体
８ａ    下第一枠
８ｂ    下第二枠
８ｃ    下第三枠
８ｄ    孔
９      上枠体
９ａ    上円枠
９ｂ    孔
９ｃ    円板
９ｄ    突起
１０      下枠体
１０ａ    下円枠
１０ｂ    孔
１１      植物
１２      連結台座
１２ａ    空間
【図１】
0003140218.tif 000003
【図２】
0003140218.tif 000004
【図３】
0003140218.tif 000005
【図４】
0003140218.tif 000006
【図５】
0003140218.tif 000007
【図６】
0003140218.tif 000008
【図７】
0003140218.tif 000009
【図８】
0003140218.tif 000010
【図９】
0003140218.tif 000011
【図１０】
0003140218.tif 000012
【図１１】
0003140218.tif 000013
【図１２】
0003140218.tif 000014
【図１３】
0003140218.tif 000015
【図１４】
0003140218.tif 000016
【図１５】
0003140218.tif 000017